(57)【要約】      （修正有）【課題】光ディスクのレーベル用撮像データを容易に撮像できる。【解決手段】撮像部１１が被写体を撮像しているとき、撮像データを格納する光ディスクの形状に対応したガイド表示データを表示部１６に表示し、記憶部１５に、撮像部１１で撮像したレーベル用撮像データと共に、このレーベル用撮像データに関連付けて撮像時のガイド表示データの大きさや位置を示すガイド関連データを格納し、ガイド関連データに従って、記録再生装置３０内の印画部で光ディスクのレーベル面にレーベル用撮像データを印画する。【選択図】図２
2009253759.tif 000002
【特許請求の範囲】
【請求項１】
被写体を撮像する撮像部と、
上記撮像部が撮像している撮像データを表示する表示部と、
上記撮像部が撮像した撮像データを格納する記憶部と、
上記撮像部が上記被写体を撮像しているとき、上記撮像データを格納するリムーバル記録媒体の形状に対応したガイド表示データを表示する制御部とを備え、
上記制御部は、上記被写体を撮像して撮像データを上記記憶部に格納する通常モードと、上記撮像部が上記被写体を撮像しているとき、上記撮像データを格納するリムーバル記録媒体の形状に対応したガイド表示データを上記表示部に表示し、上記記憶部に、上記撮像部で撮像したレーベル用撮像データと共に、このレーベル用撮像データに関連付けて撮像時の上記ガイド表示データのガイド関連データを格納するレーベル撮像用モードとを切り換える撮像装置。
【請求項２】
上記制御部は、上記通常モードで撮像した撮像データと上記レーベル撮像用モードのレーベル用撮像データ及びガイド関連データとを関連付けて上記記憶部に格納する請求項１記載の撮像装置。
【請求項３】
上記撮像装置は、更に、上記通常モードに設定されているときに上記記憶部に格納した撮像データと上記レーベル撮像用モードに設定されているときに上記記憶部に格納したレーベル用撮像データ及びガイド関連データとを、記録再生装置に出力する出力手段とを備え、
上記記録再生装置は、上記出力手段より出力された撮像データを上記リムーバル記録媒体に記録する記録部と、
上記記録部が上記撮像データを記録した上記リムーバル記録媒体に、上記ガイド関連データに従って、上記レーベル用撮像データを印画する印画部とを有する請求項２記載の撮像装置。
【請求項４】
上記ガイド関連データは、上記撮像時のガイド表示データの位置データを含む請求項１記載の撮像装置。
【請求項５】
撮像部が被写体を撮像しているとき、撮像データを格納するリムーバル記録媒体の形状に対応したガイド表示データを表示部に表示するステップと、
記憶部に、上記撮像部で撮像したレーベル用撮像データと共に、このレーベル用撮像データに関連付けて撮像時の上記ガイド表示データのガイド関連データを格納するステップと
を有する撮像方法。
【請求項６】
撮像装置より入力された撮像データをリムーバル記録媒体に記録する記録部と、
上記記録部が上記撮像データを記録した上記リムーバル記録媒体にレーベル用撮像データを印画する印画部とを備え、
上記撮像装置から、該撮像装置が上記撮像データを格納するリムーバル記録媒体の形状に対応したガイド表示データを表示部に表示するレーベル撮像用モードのときに記憶部に格納した、レーベル用撮像データとこのレーベル用撮像データに関連付けられた撮像時の上記ガイド表示データのガイド関連データが入力されると、
上記印画部で、上記記録部が上記撮像データを記録した上記リムーバル記録媒体に、上記ガイド関連データに従って、上記レーベル用撮像データを印画する記録再生装置。
【請求項７】
撮像装置から、該撮像装置が撮像データを格納するリムーバル記録媒体の形状に対応したガイド表示データを表示部に表示するレーベル撮像用モードのときに記憶部に格納した、レーベル用撮像データとこの被写体データに関連付けられた撮像時の上記ガイド表示データのガイド関連データが入力されるステップと、
印画部で、記録部が上記撮像データを記録した上記リムーバル記録媒体に、上記ガイド関連データに従って、上記レーベル用撮像データを印画するステップと
を有する印画方法。
【請求項８】
被写体を撮像する撮像部と、上記撮像部が撮像している撮像データを表示する表示部と、上記撮像部が撮像した撮像データを格納する記憶部と、上記撮像部が上記被写体を撮像しているとき、上記撮像データを格納するリムーバル記録媒体の形状に対応したガイド表示データを表示する制御部と、上記記憶部に格納した撮像データを出力する出力手段とを有する撮像装置と、
上記出力手段より出力された撮像データを上記リムーバル記録媒体に記録する記録部と、上記記録部が上記撮像データを記録した上記リムーバル記録媒体にレーベル用撮像データを印画する印画部とを有する記録再生装置とを備え、
上記撮像装置は、上記制御手段で、上記被写体を上記撮像して撮像データを上記記憶部に格納する通常モードと、上記撮像部が上記被写体を撮像しているとき、上記撮像データを格納するリムーバル記録媒体の形状に対応したガイド表示データを上記表示部に表示し、上記記憶部に、上記撮像部で撮像したレーベル用撮像データと共に、このレーベル用撮像データに関連付けて撮像時の上記ガイド表示データのガイド関連データを格納するレーベル撮像用モードとを切り換え、
上記通常モードで撮像した撮像データと、上記レーベル撮像用モードのレーベル用撮像データと上記ガイド関連データと互いに関連付けて上記記憶部に格納すると共に、上記出力手段より上記記録再生装置に対して、上記通常モードで撮像した撮像データと上記記憶部に格納したレーベル用撮像データと上記ガイド関連データとを出力し、
上記記録再生装置は、上記出力手段より出力された通常モードの撮像データを上記リムーバル記録媒体に記録し、
更に、上記印画部で、上記リムーバル記録媒体に、上記ガイド関連データに従って、上記レーベル用撮像データを印画するレーベル印刷システム。
【請求項９】
上記撮像装置は、更に、上記記録再生装置と通信を行う通信部とを備え、
上記通信部は、上記記録再生装置から上記印画部に関する印画関連データを取得し、
上記制御部は、上記レーベル撮像用モードのとき、上記印画関連データに従って上記撮像部で撮像する請求項８記載のレーベル印刷システム。
【請求項１０】
上記レーベル撮像用モードのときの撮像データは、静止画データである請求項８記載のレーベル印刷システム。
【請求項１１】
上記レーベル撮像用モードのとき、上記撮像装置の制御部は、上記撮像部を、標準的画質モードから高画質モードに切り換える請求項１０記載のレーベル印刷システム。
【請求項１２】
上記レーベル撮像用モードのときの撮像データは、動画データであり、
上記制御部は、上記動画データの撮像開始時間データと撮像終了データとを、被写体データ及びガイド状態データと共に上記記憶部に格納し、
上記記録再生装置は、上記撮像開始時間データと上記撮像終了データとで特定される動画データを構成する一の画像データを、上記印画部で上記リムーバル記録媒体に印画できるようにする請求項８記載のレーベル印刷システム。
【発明の詳細な説明】
【技術分野】
【０００１】
本発明は、ビデオカメラ等の撮像装置で、撮像した被写体データを格納しておくリムーバル記録媒体のレーベル印刷用となる被写体データを撮像できるようにし、更に、レーベル印刷用の被写体データをリムーバル記録媒体に印画することができるレーベル印刷システム、撮像装置、撮像方法、記録再生装置及び印画方法に関する。
【背景技術】
【０００２】
特許文献１には、コンパクトディスク（以下、単にＣＤともいう。）のレーベル面へ印刷する印刷画像数に対応して、予め印刷レイアウトを記憶し、ＣＤ内に記録された画像データの中から、指定された印刷画像数と同数の印刷画像を選択する。そして、選択された印刷画像を、印刷画像数に対応した印刷レイアウトでＣＤのレーベル面へ印刷することが記載されている。
【０００３】
また、特許文献２には、装着された可搬性の記録媒体からデータを読み出し印刷を実行する機能を備えた印刷に関し、印刷媒体への印刷の位置調整の要求を受けて位置を調整することが記載されている。また、特許文献２には、操作パネルのディスプレイに、印刷する画像上に、印刷範囲を示す枠（レーベルの形の丸枠）を表示することが記載されている。
【発明の開示】
【発明が解決しようとする課題】
【０００４】
しかしながら、特許文献１，２で使用するレーベル印刷に使用する画像データは、そもそもレーベル印刷を目的として撮影したものではない。したがって、多くの画像データの中から選択することは、面倒な作業である。また、レーベル印刷用の画像データを選択した場合であっても、レーベル印刷に使用するため画像データの位置調整や解像度の調整等の面倒な作業が必要となる。
【０００５】
すなわち、光ディスクは、通常円形で中央部に円形のセンタ孔が形成され、レーベル面は、略ドーナツ形状をしている。したがって、画像データの位置や解像度の調整を行う場合、この略ドーナツ形状のレーベル面に所望の被写体が入るように調整する必要があるが、所望の被写体が位置や解像度の調整をしてもレーベル面に納まらないこともある。
【０００６】
更に、多くの画像データの中には、ユーザがレーベル印刷用として気に入るものがないこともある。
【０００７】
本発明は、以上のような課題に鑑み、リムーバル記録媒体のレーベル用撮像データを容易に撮像できるレーベル印刷システム、撮像装置、撮像方法、記録再生装置及び印画方法を提供することを目的とする。
また、本発明は、撮像したレーベル用撮像データを、このレーベル用撮像データに関連する撮像データを格納したリムーバル記録媒体のレーベル面に印画に容易に印画することができるレーベル印刷システム、撮像装置、撮像方法、記録再生装置及び印画方法を提供することを目的とする。
【特許文献１】特開２００７−５４９７３号公報
【特許文献２】特開２００７−１９６４７６号公報
【課題を解決するための手段】
【０００８】
本発明に係る撮像装置は、被写体を撮像する撮像部と、上記撮像部が撮像している撮像データを表示する表示部と、上記撮像部が撮像した撮像データを格納する記憶部と、上記撮像部が上記被写体を撮像しているとき、上記撮像データを格納するリムーバル記録媒体の形状に対応したガイド表示データを表示する制御部とを備える。そして、上記制御部は、上記被写体を上記撮像して撮像データを上記記憶部に格納する通常モードと、上記撮像部が上記被写体を撮像しているとき、上記撮像データを格納するリムーバル記録媒体の形状に対応したガイド表示データを上記表示部に表示し、上記記憶部に、上記撮像部で撮像したレーベル用撮像データと共に、このレーベル用撮像データに関連付けて撮像時の上記ガイド表示データのガイド関連データを格納するレーベル撮像用モードとを切り換える。
【０００９】
また、本発明は、以上のような撮像装置の撮像方法である。
【００１０】
また、本発明に係る記録再生装置は、撮像装置より入力された撮像データをリムーバル記録媒体に記録する記録部と、上記記録部が上記撮像データを記録した上記リムーバル記録媒体にレーベル用撮像データを印画する印画部とを備える。上記撮像装置から、該撮像装置が上記撮像データを格納するリムーバル記録媒体の形状に対応したガイド表示データを表示部に表示するレーベル撮像用モードのときに記憶部に格納した、レーベル用撮像データとこのレーベル用撮像データに関連付けられた撮像時の上記ガイド表示データのガイド関連データが入力されると、上記印画部で、上記記録部が上記撮像データを記録した上記リムーバル記録媒体に、上記ガイド関連データに従って、上記レーベル用撮像データを印画する。
【００１１】
また、本発明は、以上のような記録再生装置の印画方法である。
【００１２】
更に、本発明に係るレーベル印刷システムは、被写体を撮像する撮像部と、上記撮像部が撮像している撮像データを表示する表示部と、上記撮像部が撮像した撮像データを格納する記憶部と、上記撮像部が上記被写体を撮像しているとき、上記撮像データを格納するリムーバル記録媒体の形状に対応したガイド表示データを表示する制御部と、上記記憶部に格納した撮像データを出力する出力手段とを有する撮像装置と、上記出力手段より出力された撮像データを上記リムーバル記録媒体に記録する記録部と、上記記録部が上記撮像データを記録した上記リムーバル記録媒体にレーベル用撮像データを印画する印画部とを有する記録再生装置とを備える。上記撮像装置は、上記制御手段で、上記被写体を上記撮像して撮像データを上記記憶部に格納する通常モードと、上記撮像部が上記被写体を撮像しているとき、上記撮像データを格納するリムーバル記録媒体の形状に対応したガイド表示データを上記表示部に表示し、上記記憶部に、上記撮像部で撮像したレーベル用撮像データと共に、このレーベル用撮像データに関連付けて撮像時の上記ガイド表示データのガイド関連データを格納するレーベル撮像用モードとを切り換え、上記通常モードで撮像した撮像データと、上記レーベル撮像用モードのレーベル用撮像データと上記ガイド関連データと互いに関連付けて上記記憶部に格納すると共に、上記出力手段より上記記録再生装置に対して、上記通常モードで撮像した撮像データと上記記憶部に格納したレーベル用撮像データと上記ガイド関連データとを出力する。上記記録再生装置は、上記出力手段より出力された通常モードの撮像データを上記リムーバル記録媒体に記録し、更に、上記印画部で、上記リムーバル記録媒体に、上記ガイド関連データに従って、上記レーベル用撮像データを印画する。
【発明の効果】
【００１３】
本発明によれば、撮像部が上記被写体を撮像しているとき、撮像データを格納するリムーバル記録媒体の形状に対応したガイド表示データを表示するので、リムーバル記録媒体のレーベル用撮像データを容易に撮像できる。
【００１４】
また、レーベル撮像用モードのレーベル用撮像データ及びガイド関連データとを関連付けて記憶部に保存するので、撮像したレーベル用撮像データを、このレーベル用撮像データに関連する撮像データを格納したリムーバル記録媒体のレーベル面に容易に印画することができる。
【発明を実施するための最良の形態】
【００１５】
以下、本発明が適用されたレーベル印刷システムについて図面を参照して説明する。
【００１６】
図１に示すように、本発明が適用されたレーベル印刷システム１は、被写体を撮像し、動画データや画像データを保存するビデオカメラ１０と、このビデオカメラ１０に保存された動画データや画像データが複写され、テレビジョン受像機等のモニタ５０でこの動画データや画像データを視聴できるようにする記録再生装置３０とを備える。また、この記録再生装置３０は、ビデオカメラ１０で撮像した動画データや画像データを、リムーバル記録媒体である例えばＣＤ、ディジタルバーサタイルディスク（以下、単にＤＶＤという。）、ブルーレイディスク（以下、単にＢＤともいう。）といった光ディスク２に記録することができ、更に、この光ディスク２のレーベル面に、この光ディスク２に保存した動画データと関連する画像データを印刷できるように、プリンタの機能も備えている。
【００１７】
図２に示すように、本発明が適用されたビデオカメラ１０は、被写体を撮像する撮像部１１と、撮像部１１から出力される撮像データに対して前処理を行う前処理部１２と、ビデオカメラ１０の撮像動作を制御するカメラ制御部１３と、撮像時に音声を集音するマイク１４ａや音声を放音するスピーカ１４ｂを制御する音声処理部１４とを備えている。
【００１８】
また、ビデオカメラ１０は、撮像部１１で撮像した撮像データを格納する記憶部１５と、例えば撮像中の映像を表示する表示部１６と、操作信号を入力する操作部１７と、外部機器、例えば記録再生装置３０と通信を行う外部通信インタフェース（以下、単に外部通信Ｉ／Ｆという。）１８とを備えている。
【００１９】
更に、ビデオカメラ１０は、撮像時等の制御プログラム等が格納された制御メモリ１９と、操作部１７から入力される操作信号に応じて全体の動作を制御する制御部２０とを備えている。
【００２０】
撮像部１１は、対物レンズ、フォーカスレンズ等の複数のレンズ１１ａ、ＣＣＤ素子（Charge-Coupled Devices）、ＣＭＯＳ(Complementary Metal-Oxide Semiconductor)センサ等の撮像素子１１ｂ等を有している。そして、撮像素子１１ｂは、受光面に照射された光信号を電気信号に変換して前処理部１２に出力する。
【００２１】
前処理部１２は、撮像素子１１ｂから出力された撮像データに対して、ＣＤＳ（Correlated Double Sampling）処理により、Ｓ／Ｎ（Signal／Noise）比を良好に保つようにサンプルホールドを行い、さらにＡＧＣ（Auto Gain Control）処理により利得を制御し、Ａ／Ｄ変換を行ってデジタルの撮像データをカメラ制御部１３に出力する。
【００２２】
カメラ制御部１３は、制御部２０による制御に従って、必要に応じて記憶部１５に対するデータの書き込み、読み出しを行いながら動作する。このカメラ制御部１３は、カメラ処理部１３ａと、静止画処理部１３ｂと、動画処理部１３ｃを有している。
【００２３】
カメラ処理部１３ａは、前処理部１２からの撮像データが入力され、ＡＷＢ（Auto White Balance）処理、ＡＦ（Auto Focus）処理、ＡＥ（Auto Exposure）処理等のカメラ信号処理を行う。静止画処理部１３ｂは、入力されたデータが静止画の画像データであるとき、カメラ信号処理が施された画像データに対して、ＪＰＥＧ（Joint Photographic Coding Experts Group）方式等の所定の静止画像データフォーマットで圧縮符号化処理を行う。また、静止画処理部１３ｂは、静止画像の符号化データを伸長復号化処理する。動画処理部１３ｃは、入力されたデータが動画データあるとき、カメラ信号処理が施された動画データに対して、ＭＰＥＧ（Moving Picture Experts Group）２やＭＰＥＧ４等の所定の動画像データフォーマットで圧縮符号化処理を行う。また、動画処理部１３ｃは、動画像の符号化データを伸長復号化処理する。
【００２４】
音声処理部１４は、増幅器、Ａ／Ｄ変換器、Ｄ／Ａ変換器、圧縮符号化／伸長復号化処理を行う処理回路等を備える。この音声処理部１４には、マイク１４ａ及びスピーカ１４ｂが接続されている。音声処理部１４は、マイク１４ａによって集音された音声信号を増幅してデジタル信号に変換し、更にＭＰＥＧ−ＡＵＤＩＯ方式等の所定の音声データフォーマットで圧縮符号化する。また、音声処理部１４は、音声の符号化データを伸長復号化処理し、アナログ信号に変換して増幅し、スピーカ１４ｂから放音する。
【００２５】
記憶部１５は、装置本体に内蔵されたハードディスクドライブ、フラッシュメモリ等の半導体メモリ等であり、撮像部１１で撮像した撮像データやマイク１４ａで集音した音声データを保存する。なお、この記憶部１５は、ＣＤ、ＤＶＤ、ＢＤといった光ディスク、半導体メモリを記憶素子に用いるＩＣカード等のリムーバル記録媒体であっても良い。
【００２６】
表示部１６は、ビューファインダ１６ａや装置本体の側面等に開閉可能に設けられた表示パネル１６ｂである。装置本体に対して開閉可能な表示パネル１６ｂは、ＬＣＤパネル、有機ＥＬパネル等で構成され、また、タッチパネルとなっている。表示部１６は、撮像部１１が撮像している映像を表示したり、操作案内表示を行う。
【００２７】
操作部１７は、撮像を開始する記録開始機能、撮像した撮像データを再生する再生機能、記録や再生の停止機能、撮像モード切換機能等の機能が定義された複数の押しボタンで構成されている。操作部１７は、ユーザによって操作された際に、操作信号を発生し、操作信号を制御部２０に入力する。なお、表示部１６は、タッチパネルであるとき、操作部１７の一部として機能する。
【００２８】
外部通信Ｉ／Ｆ１８は、例えば記録再生装置３０やモニタ５０に対して記憶部１５に格納されている撮像データを出力する。ここで、通信インタフェースとしては、有線、無線の何れであっても良く、ＨＤＭＩ（High-Definition Multimedia Interface）、ＩＥＥＥ１３９４、ＩＥＥＥ８０２、ＵＳＢ（Universal Serial Bus）、ＲＣＡケーブル等が用いられる。
【００２９】
制御メモリ１９は、例えばフラッシュ型ＥＥＰＲＯＭ（Electrically Erasable Programmable ROM）からなり、制御部２０が実行する種々のプログラム、処理に必要となるデータ、表示部１６に表示させる画面のフォーマットデータ等を記憶している。制御部２０は、操作部１７よりユーザの操作に応じた操作信号が入力されると、制御メモリ１９より読みだしたプログラムに従って全体の動作を制御する。
【００３０】
例えば、制御部２０は、静止画撮像モードが設定されているとき、撮像部１１で撮像した画像データに対して静止画処理部１３ｂで圧縮処理等所定の処理を行った後、画像データを記憶部１５に保存する。また、制御部２０は、動画撮像モードが設定されているとき、撮像部１１で撮像した動画データに対して動画処理部１３ｃで圧縮処理等所定の処理を行った後、動画データを記憶部１５に保存する。制御部２０は、静止画撮像モード、動画撮像モードの何れの場合にあっても、標準画質モード、高画質モード等、画質を複数選択することができる。
【００３１】
また、本発明が適用されたビデオカメラ１０において、制御部２０は、以上のような通常の動画や静止画の撮像を行う通常モードに加え、リムーバル記録媒体のレーベル面に印画するための撮像データを撮像するためのレーベル撮像用モードを有している。具体的に、このレーベル撮像用モードでは、撮像した画像データ、動画データ等の撮像データ保存したリムーバル記録媒体のレーベル面に印画するための撮像データを撮像するためのモードである。
【００３２】
通常、静止画の画像データ、動画データ等の撮像データは、ビデオカメラ１０からリムーバル記録媒体である光ディスクに複写等されて保存されることが多い。この種の光ディスクは、直径が８ｃｍ又は１２ｃｍであり、中央部に、センタ孔が形成されている。そこで、制御メモリ１９には、光ディスクの形状に対応したガイド表示データとして、光ディスクのセンタ孔の円形形状のガイド表示データが格納されている。そして、制御部２０は、レーベル撮像用モードのとき、ビューファインダ１６ａや表示パネル１６ｂで構成された表示部１６に、撮像部１１が撮像している撮像データ上にガイド表示データを重畳するようにして表示する。
【００３３】
これを更に具体的に説明する。図３（Ａ）は、円形形状のガイド表示データが表示されていない状態の撮像部１１が撮像している画像である。制御部２０は、この図３（Ａ）に示す画像に対して、図３（Ｂ）に示すように、表示された画像に対して重ね合わせるようにして、円形形状のガイド表示データ２１を表示する。かくして、ユーザは、撮影している方向を上下左右に調整したり、ズーム調整をしたりすることによって、被写体、ここでは人物に円形形状のガイド表示データ２１が重ならないように意識して撮像を行うことができる。被写体に円形形状のガイド表示データ２１が重ならないように撮像された撮像データは、図３（Ｃ）光ディスク２のレーベル面に印画したとき、センタ孔を避けるようにして人物が印画されることになる。すなわち、図３（Ｄ）に示すように、ユーザは、光ディスク２のレーベル用の撮影作業であると意識しながら撮影作業を行うことから、光ディスク２のセンタ孔２ａが人物上に位置してしまうことを防止することができる。
【００３４】
なお、図３では、光ディスク２のセンタ孔に対応した円形形状のガイド表示データ２１を表示部１６に表示する場合を説明したが、図４に示すように、制御メモリ１９には、更に、光ディスクの外形形状に対応した円形形状のガイド表示データ２２を格納しておいても良い。この場合、制御部２０は、光ディスクの外形形状に対応した円形形状のガイド表示データ２２を、センタ孔に対応した円形形状のガイド表示データ２１に加えて表示する。これにより、ユーザは、レーベル印刷用の撮像データを、光ディスクの内径と外径の形状を意識しながら、すなわち略センタ孔と外形との間の略ドーナツ状の領域に人物等の被写体が位置するように撮影することができる。そして、ユーザは、直径が８ｃｍの光ディスク、直径が１２ｃｍの光ディスクのそれぞれの大きさに合わせて撮像を行うことができる。
【００３５】
また、レーベル撮像用モードで静止画を撮像する設定になっているとき、制御部２０は、高画質で撮影するモードに設定するようにしても良い。これにより、より高画質な画像を光ディスクのレーベル面に印画できるようになる。
【００３６】
かくして、レーベル撮像用モードで撮像された撮像データは、記憶部１５に保存される際に、撮像時の円形形状のガイド表示データ２１，２２に関するガイド関連データ、すなわちガイド表示データ２１，２２の直径や位置データ等でなるガイド関連データが関連付けられて記憶部１５に保存される。
【００３７】
また、レーベル撮像用モードで撮像された撮像データは、光ディスク２のレーベル用であって、ユーザが本来の目的を持って撮像した撮像データは別にある。そこで、制御部２０は、レーベル印刷用の撮像データを、本来ユーザが撮像したい本編の撮像データ、すなわち通常モードで撮像した撮像データに関連付けて記憶部１５に保存する。例えば、ユーザが子供の運動会を撮影することを目的としているとき、本編は、子供が実際に競技を行っているときの撮像データであり、通常モードで撮像を行ったときの撮像データである。これに対して、レーベル撮像用モードで撮像する撮像データは、例えば、運動会の看板等本編のインデックスとなり得るものである。制御部２０は、通常モードで撮像を行った本編の撮像データとレーベル撮像用モードでのレーベル用撮像データとを関連付けて記憶部１５に保存し、２つの撮像データを管理するようにしている。
【００３８】
なお、リムーバル記録媒体としては、８ｃｍや１２ｃｍの光ディスクの他に、光ディスクや光磁気ディスクを記録媒体に用いたディスクカートリッジや半導体メモリを記憶素子に用いたＩＣカードやテープカートリッジであっても良い。制御メモリ１９では、これら複数種類のリムーバル記録媒体に対応したガイド表示データを格納しておき、ユーザが操作部１７を操作することによって、所望のガイド表示データを選択できるようにしても良い。また、ガイド表示データは、プリンタ機能を有した記録再生装置３０から外部通信Ｉ／Ｆを介して取得するようにしても良い。
【００３９】
制御部２０は、予め外部通信Ｉ／Ｆ１８を介して実際に印画を行う記録再生装置３０から印画部の性能の関する印画関連データを取得し、この印画関連データを反映させて、レーベル撮像用モードで撮像を行う。例えば、制御部２０は、レーベル撮像用モードにおいて、印画関連データとして取得した記録再生装置３０の印画部３４の色の表現力に関するデータ、画質補正に関するデータ、印画媒体の素材に関するデータ等を反映させて撮像を行う。
【００４０】
制御部２０は、記憶部１５に保存されている通常モードで撮影した画像データや動画データの撮像データ、レーベル撮像用モードで撮像したレーベル用撮像データを記録再生装置３０に出力する操作が行われると、これらのデータを記憶部１５より読み出して、外部Ｉ／Ｆ１８より撮像データ、レーベル用撮像データ、ガイド状態データの相互の関連づけを解除することなく、記録再生装置３０に出力する。
【００４１】
以上のようなビデオカメラ１０で撮像された撮像データが入力される記録再生装置３０は、図５に示すように、記録再生系として、外部機器と接続される外部通信Ｉ／Ｆ３１と、画像データや動画データを保存する大容量のハードディスクドライブ（以下、単にＨＤＤともいう。）３２と、光ディスク２にデータを記録すると共に光ディスク２に記録されたデータを再生する光ディスクドライブ３３とを備えている。
【００４２】
また、この記録再生装置３０は、プリンタの機能を実現する印画部３４として、印画データを生成する印画ドライバ３５と、各種パラメータが格納される設定メモリ３６と、印画を行う印画ヘッド３７とを備えている。
【００４３】
更に、この記録再生装置３０は、操作信号を入力する操作部３８と、モニタ５０に対して映像信号を出力するビデオ出力部３９と、操作部３８から入力される操作信号に応じて全体の動作を制御する制御部４０とを備えている。
【００４４】
外部通信Ｉ／Ｆ３１は、上述したＨＤＭＩ、ＩＥＥＥ１３９４、ＩＥＥＥ８０２、ＵＳＢ、ＲＣＡケーブル等のインタフェースであって、本発明が適用されたビデオカメラ１０の外部通信Ｉ／Ｆ１８やモニタ５０やその他の電子機器と接続される。例えば、ビデオカメラ１０から撮像データ、レーベル用撮像データ、ガイド状態データが入力されると、ＨＤＤ３２に保存する。
【００４５】
ＨＤＤ３２は、大容量のハードディスクであって、ビデオカメラ１０で撮像された撮像データ、レーベル用撮像データ、ガイド状態データを互いに関連づけた状態で保存する。なお、ＨＤＤ３２に代わって、フラッシュメモリ等の半導体メモリを用いても良い。
【００４６】
光ディスクドライブ３３は、上述のようにＣＤ、ＤＶＤ、ＢＤと言った光ディスク２を回転するディスクテーブルと言ったディスク回転駆動部、光ディスク２のレーベル面とは反対側の信号記録面に対して光ビームを照射して反射された戻り光を検出する光ピックアップ等を備えている。光ディスクドライブ３３は、記録時、記録するデータに対してエラー訂正符号化処理や変調処理等の記録処理を施して、ディスク回転駆動部によって回転されている光ディスク２に対して光ビームを照射してデータを記録する。また、光ディスクドライブ３３は、再生時、ディスク回転駆動部によって回転されている光ディスク２に対して光ビームを照射してデータを読み出し、読み出してデータに対して復調処理、訂正処理等の再生処理を施し、例えばビデオ出力部３９を介してモニタ５０に出力する。
【００４７】
プリンタとして機能する印画部３４は、上述のように、印画ドライバ３５と設定メモリ３６と印画ヘッド３７とを備えている。
【００４８】
印画ドライバ３５は、例えば、印画する画像データが入力されると、ＲＧＢデータからＹＭＣＫデータへの変換処理、ガンマ変換処理等のデータ処理を施して印画データを生成する。設定メモリ３６は、印画部３４に関するデータ、すなわち色の表現力に関するデータ、画質補正に関するデータ、印画媒体の素材に関するデータ等の印画関連データを格納している。印画ドライバ３５は、この設定メモリ３６に格納されている印画関連データに従って印画データを生成することになる。
【００４９】
印画ヘッド３７は、インクを吐出して印画を行うインクジェット方式のヘッド、色材を熱昇華して印画を行うサーマルヘッド等である。このような印画ヘッド３７は、例えば、光ディスク２を回転可能に支持しているディスクトレイ上に配設されており、ディスクトレイが記録再生位置とディスク交換位置とに亘って移動しているとき、光ディスク２のレーベル面に対して画像を形成する。
【００５０】
操作部３８は、記録を開始する記録開始機能、再生を開始する開始機能、印画を行う印画開始機能等が定義された複数の押しボタンであって、ユーザによって操作された際に、操作信号を発生し、操作信号を制御部４０に入力する。
【００５１】
ビデオ出力部３９、ＣＲＴ、ＬＣＤ、有機ＥＬ等のモニタ５０に対して映像寝具や音声信号を出力する。
【００５２】
制御部４０は、操作部３８よりユーザの操作に応じた操作信号が入力されると、制御メモリ１９より読みだしたプログラムに従って全体の動作を制御する。
【００５３】
例えば、制御部４０は、光ディスク２のレーベル面への印画開始操作がビデオカメラ１０の操作部１７又は記録再生装置３０の操作部３８で行われると、ビデオカメラ１０より入力されたレーベル用撮像データ及びガイド関連データをＨＤＤ３２に保存することなく、直接印画部３４に入力し印画する。ビデオカメラ１０の操作部３８側で操作が行われたときには、外部通信Ｉ／Ｆ１８，３１を介して印画開始信号が記録再生装置３０に入力される。なお、ＨＤＤ３２には、入力されたデータが印画のため一時的に格納されるようにしても良い。すると、制御部４０は、印画ヘッド３７を駆動すると共に、光ディスクドライブ３３のディスクトレイを移動して、光ディスク２のレーベル面に、レーベル用撮像データを印画する。
【００５４】
また、ＨＤＤ３２に格納してあるレーベル用撮像データを印画するとき、制御部４０は、操作部３８で選択されたレーベル用撮像データを印画部３４に出力し、印画ヘッド３７を駆動すると共に、光ディスクドライブ３３のディスクトレイを移動して、光ディスク２のレーベル面に、レーベル用撮像データを印画する。
【００５５】
そして、光ディスク２のレーベル面にレーベル用撮像データを印画する際、印画ヘッド３７は、ガイド関連データに従って印画を行わない領域を特定し、この部分、すなわち光ディスク２のセンタ孔２ａの領域には、印画を行わないようにする。
【００５６】
なお、制御部４０は、レーベル印刷を、光ディスク２に記録する撮像データの記録処理の前又は後に連続的に行うようにしても良い。この場合、例えば、ビデオカメラ１０の表示部１６やモニタ５０に表示された表示画面で、「レーベル印刷を、光ディスク２に記録する撮像データの記録処理と同時に行う。」といったチェックボックスにチェックを入れる操作を行うようにする。これにより、このシステム１では、光ディスク２への撮像データの記録とレーベル面の印刷とが連続して行われることになり、更に利便性の向上を図ることができる。
【００５７】
次に、ビデオカメラ１０をレーベル撮像用モードにして撮像を開始する際の前処理を、図６を参照して説明する。
【００５８】
ユーザは、先ず、撮影に出かける前に、記録再生装置３０より印画部３４の色の表現力に関するデータ、画質補正に関するデータ、印画媒体の素材に関するデータ等の印画関連データを反映させてレーベル用の撮像を行うことができるように、ビデオカメラ１０に記録再生装置３０より印画関連データを取得させる。
【００５９】
具体的に、ビデオカメラ１０の制御部２０は、ステップＳ１において、外部通信Ｉ／Ｆ１８が記録再生装置３０の外部通信Ｉ／Ｆ３１と通信可能であるかを判断し、通信可能であるとき、ステップＳ２に進み、通信ができないとき、ステップＳ３に進む。
【００６０】
記録再生装置３０と通信が可能であるとき、ビデオカメラ１０の制御部２０は、ステップＳ２において、記録再生装置３０より印画部３４の色の表現力に関するデータ、画質補正に関するデータ、印画媒体の素材に関するデータ等の印画関連データを取得する。具体的に、記録再生装置３０は、ビデオカメラ１０からの送信要求に応じて、設定メモリ３６に格納されている印画関連データを外部通信Ｉ／Ｆ３１よりビデオカメラ１０の外部通信Ｉ／Ｆ１８に送信する。そして、ビデオカメラ１０の制御部２０は、取得した印画関連データを制御メモリ１９に設定する。
【００６１】
記録再生装置３０と通信が不能のとき、ビデオカメラ１０の制御部２０は、ステップＳ３において、制御メモリ１９に格納されている標準パラメータを設定する。
【００６２】
次に、実際に、ユーザがレーベル用の撮像を行うときのビデオカメラ１０の処理を、図７を参照して説明する。
【００６３】
ステップＳ１１において、ビデオカメラ１０の制御部２０は、レーベル撮像用モードにあるかどうかを判断し、レーベル撮像用モードにあるとき、ステップＳ１２に進み、レーベル撮像用モードにないとき、処理を終了する。
【００６４】
ステップＳ１２において、制御部２０は、ステップＳ２で取得した印画関連データ又はステップＳ３の標準パラメータを設定する。ステップＳ１３において、制御部２０は、制御メモリ１９よりガイド表示データ２１，２２を読み出し、ビューファインダ１６ａや表示パネル１６ｂで構成された表示部１６に表示されている現在撮像部１１が撮像している撮像データ上にガイド表示データを重畳するようにして表示する。なお、ここでは、レーベル撮像用モードにおいて、静止画撮影を行う場合を説明する。
【００６５】
かくして、ユーザは、撮影している方向を上下左右に調整したり、ズーム調整をしたりすることによって、被写体、ここでは人物に円形形状のガイド表示データ２１が重ならないように意識して撮像を行うことができる。
【００６６】
ステップＳ１４において、制御部２０は、ユーザによって記録開始操作が行われると、被写体を撮像し、ステップＳ１５において、記録操作が行われたときの撮像データを記憶部１５に保存する。このとき、制御部２０は、ガイド表示データ２１，２２の直径や位置データ等でなるガイド関連データを、レーベル用撮像データに関連付けて記憶部１５に保存する。なお、レーベル撮像用モードで静止画を撮像する設定になっているとき、制御部２０は、高画質で撮影するモードに設定するようにしても良い。
【００６７】
以上のように、ビデオカメラ１０では、光ディスク２のレーベル用撮像データを、レーベル撮像用モードに切り換えることで、意識して撮像することができる。したがって、ユーザは、自分の気に入った高品位なレーベル用撮像データを得ることができる。また、通常モードの前や後や途中にレーベル撮像用モードを設けることで、レーベル用撮像データを撮像することを忘れてしまうことを防止することができ、光ディスク２の管理を容易に行うことができるようになる。
【００６８】
次に、ビデオカメラ１０で光ディスク２のレーベル面へのレーベル用撮像データの印画開始操作を行った場合の処理について、図８を参照して説明する。
【００６９】
ステップＳ２１において、ビデオカメラ１０の制御部２０は、外部通信Ｉ／Ｆ１８が記録再生装置３０の外部通信Ｉ／Ｆ３１と通信可能であるかを判断し、通信可能であるとき、ステップＳ２２に進み、通信ができないとき、処理を終了する。
【００７０】
ステップＳ２２において、ビデオカメラ１０の制御部２０は、操作部１７で光ディスク２のレーベル面への印画開始操作が行われたかを判断し、印画開始操作が行われたとき、ステップＳ２３に進み、印画開始操作が行われなかったとき、処理を終了する。
【００７１】
ステップＳ２３において、ビデオカメラ１０の制御部２０は、記録再生装置３０の外部通信Ｉ／Ｆ３１に対して、光ディスク２のレーベル面への印画開始信号と共に、レーベル用撮像データとガイド表示データ２１，２２の直径や位置データ等でなるガイド関連データとを送信する。
【００７２】
すると、記録再生装置３０では、レーベル用撮像データとガイド関連データとを印画部３４に入力し、印画ヘッド３７を駆動すると共に、光ディスクドライブ３３のディスクトレイを移動して、光ディスク２のレーベル面に、レーベル用撮像データを印画する。この際、印画ヘッド３７は、ガイド関連データに従って印画を行わない領域を特定し、この部分、すなわち光ディスク２のセンタ孔２ａの領域には、印画を行わないようにする。かくして、光ディスク２のレーベル面には、レーベル用の撮像データが印画されることになる。
【００７３】
なお、記録再生装置３０は、ディスクトレイに光ディスク２が装着されていないときに、レーベル用撮像データの印画開始の操作が行われたときには、操作が行われた機器、すなわちビデオカメラ１０の表示部１６や記録再生装置３０が接続されたモニタ５０に警告表示を行うようにしても良い。また、ビデオカメラ１０又は記録再生装置３０より警告音を出力するようにしても良い。
【００７４】
また、このレーベル用撮像データの印画処理は、光ディスク２に記録する撮像データの記録処理の前又は後に連続的に行うようにしても良い。この場合には、光ディスク２への撮像データの記録とレーベル面の印刷とが連続して行われることになり、更に利便性の向上を図ることができる。
【００７５】
以上の例では、レーベル用撮像データが静止画の画像データである場合を説明したが、本発明では、レーベル撮像データが動画データであっても良い。
【００７６】
すなわち、レーベル撮像用モードで動画を撮像する設定になっているとき、制御部２０は、レーベル撮像用モードにおける撮像開始時間と撮像終了時間を、ガイド関連データとして、ガイド表示データ２１，２２の直径や位置データ等に加え、撮像した撮像データと共に記憶部１５に格納する。この場合、レーベル印刷には、撮像開始時間と撮像終了時間との間のレーベル用撮像データの中の一の画像データを選択する必要がある。この場合、ビデオカメラ１０の制御部２０又は記録再生装置３０の制御部４０は、Ｓ／Ｎ比が所定値より高いフレーム、すなわち画像データや顔が検出された画像データを、実際に光ディスク２のレーベル面に印刷するデータとして選択する。そして、ビデオカメラ１０の制御部２０又は記録再生装置３０の制御部４０は、選択された画像データが記録再生装置３０の印画部３４で光ディスク２のレーベル面に印画されるようにする。
【００７７】
なお、ビデオカメラ１０の制御部２０は、レーベル撮像用モードで動画を撮像する設定になっているときには、通常モードより高画質モードで撮像を行うようにしても良い。また、実際に光ディスク２のレーベル面に印刷するデータを選択するに当たっては、動画データを構成する各フレームを、画像データとして一覧表示し、ユーザがビデオカメラ１０の操作部１７又は記録再生装置３０の操作部３８を用いて選択するようにしても良い。
【００７８】
そして、レーベル撮像用モードで動画を撮像する設定になっているとき、ビデオカメラ１０の制御部２０は、図９（Ａ）及び（Ｂ）に示すように、通常モードとレーベル撮像用モードとを連続的に行うようにする。そして、制御部２０は、レーベル撮像用モードの撮像開始時間と撮像終了時間とを、ガイド表示データ２１，２２の直径や位置データ等でなるガイド関連データに加えて記憶部１５に保存する。なお、図９（Ａ）は、通常モードに先立ってレーベル撮像用モードがある場合を示し、図９（Ｂ）は、通常モードの途中にレーベル撮像用モードがある場合を示している。
【００７９】
また、ビデオカメラ１０は、レーベル撮像用モードにおいて、レーベル用の画像データを、撮像部１１の撮影可能範囲より広くしたい場合、図１０に示すように行われる。
【００８０】
図１０（Ａ）の四角は、撮像部１１の視野２３である。ここでは、静止画を撮像する状態において、ビデオカメラ１０の撮影方向を、ガイド表示データ２１，２２間の略ドーナツ状の領域、すなわち光ディスク２のレーベル面に対応する領域を埋めるように、上下左右に移動させる。このとき、ビデオカメラ１０の制御部２０は、図１０（Ａ）又は図１０（Ｃ）に示すように、順次、順次画像データを取り込み、時間的に連続する画像データをつなぎ合わせる処理を行うことによって１つの画像データを形成し、この１つの画像データをレーベル用撮像データとして、記憶部１５に保存する。
【００８１】
ビデオカメラ１０の制御部２０は、ガイド表示データ２１，２２間の略ドーナツ状の領域の全ての撮像が完了したとき、「撮影が終了しました。」等の音声や装置本体に内蔵された偏心モータ等で振動を付与し、ユーザに知らせる。
【００８２】
かくして、ビデオカメラ１０は、撮像部１１の撮影可能範囲より広い範囲のレーベル用撮像データを生成することができるようになる。
【００８３】
なお、以上の例では、静止画撮像機能を有するビデオカメラ１０を例にとり説明したが、本発明では、静止画撮像機能を有していないビデオカメラに適用することもでき、また、動画撮像機能を有する、又は、動画撮像機能を有していないディジタルスチルカメラに用いても良い。
【図面の簡単な説明】
【００８４】
【図１】本発明が適用されたレーベル印刷システムの構成を示す図である。
【図２】本発明が適用されたビデオカメラのブロック図である。
【図３】光ディスクのセンタ孔に対応したガイド表示データを示す図であり、（Ａ）は、ガイド表示データが表示されていない画像を示し、（Ｂ）は、ガイド表示データが表示された画像を示し、（Ｃ）は、（Ｂ）の画像が光ディスクのレーベル面に印画された状態を示し、（Ｄ）は、光ディスクのセンタ孔に被写体となった人物が重なってしまった参考例を示す。
【図４】光ディスクのセンタ孔と外形形状に対応したガイド表示データを示す図である。
【図５】本発明が適用された記録再生装置のブロック図である。
【図６】ビデオカメラをレーベル撮像用モードにして撮像を開始する前の処理を示すフローチャートである。
【図７】レーベル撮像用モードのときのビデオカメラの処理を示すフローチャートである。
【図８】ビデオカメラで光ディスクのレーベル面へのレーベル用撮像データの印画開始操作を行った場合の処理を示すフローチャートである。
【図９】通常モードとレーベル撮像用モードとの関係を示す図であり、（Ａ）は、通常モードに先立ってレーベル撮像用モードがある場合を示し、（Ｂ）は、通常モードの途中にレーベル撮像用モードがある場合を示す。
【図１０】ビデオカメラで撮像部の撮影可能範囲より広い範囲のレーベル用撮像データを生成する際の処理を示す図である。
【符号の説明】
【００８５】
１  レーベル印刷システム、２  光ディスク、１０  ビデオカメラ、１１  撮像部、１１ａ  レンズ、１１ｂ  撮像素子、１２  前処理部、１３  カメラ制御部、１３ａ  カメラ処理部、１３ｂ  静止画像処理部、１３ｃ  動画像処理部、１４  音声処理部、１４ａ  マイク、１４ｂ  スピーカ、１５  記憶部、１６  表示部、１７  操作部、１８  外部通信Ｉ／Ｆ、１９  制御メモリ、２０  制御部、２１  円形形状データ、２２  円形形状データ、３０  記録再生装置、３１  外部通信Ｉ／Ｆ、３２  ＨＤＤ、３３  光ディスクドライブ、３４  印画部、３５  印画ドライバ、３６  設定メモリ、３７  印画ヘッド、３８  操作部、３９  ビデオ出力部、４０  制御部、５０  モニタ
【図１】
2009253759.tif 000003
【図２】
2009253759.tif 000004
【図３】
2009253759.tif 000005
【図４】
2009253759.tif 000006
【図５】
2009253759.tif 000007
【図６】
2009253759.tif 000008
【図７】
2009253759.tif 000009
【図８】
2009253759.tif 000010
【図９】
2009253759.tif 000011
【図１０】
2009253759.tif 000012